(57)【要約】本発明は、ヘッドを高精度に位置決めすることができるヘッドサスペンション、記録密度が高い情報記憶装置、およびそのようなヘッドサスペンションや情報記憶装置の実現に寄与するリードを提供することを目的とし、長尺な金属板に、長さ方向に沿って、折り目、突条、および溝のうちの少なくともいずれか１つが設けられてなるベースと、前記ベースの長さ方向に沿って該ベース上に設けられて前記ヘッドに接続された複数本の配線とを有するリード、あるいは長尺な金属板からなる複数のベースと、ベースの長さ方向に沿って複数のベースそれぞれに複数本ずつ設けられた配線とを有し、それら複数のベースが互いに貼り合わされてなるリードを備えていることを特徴とする。
2004072974.tif 000002
【特許請求の範囲】
【請求項１】
情報記録媒体に対し、情報記録および情報再生の少なくともいずれか１つを実行するヘッドを搭載したスライダを保持するスライダ保持具、および
長尺な金属板に、長さ方向に沿って、折り目、突条、および溝のうちの少なくともいずれか１つが設けられてなるベースと、前記ベースの長さ方向に沿って該ベース上に設けられて前記ヘッドに接続された複数本の配線とを有する、前記スライダ保持具に取り付けられたリードを備えたことを特徴とするヘッドサスペンション。
【請求項２】
前記リードが、前記ベースを複数有し、その複数のベースが互いに張り合わされてなるものであることを特徴とする請求項１記載のヘッドサスペンション。
【請求項３】
情報記録媒体に対し、情報記録および情報再生の少なくともいずれか１つを実行するヘッドを搭載したスライダを保持するスライダ保持具、および
長尺な金属板からなる複数のベースと、前記ベースの長さ方向に沿って複数のベースそれぞれに複数本ずつ設けられた配線とを有し、前記複数のベースが互いに貼り合わされてなる、前記スライダ保持具に取り付けられたリードを備えたことを特徴とするヘッドサスペンション。
【請求項４】
所定の情報記録媒体を保持する媒体保持具、
前記情報記録媒体に対し、情報記録および情報再生の少なくともいずれか１つを実行するヘッドを搭載したスライダ、
前記スライダを前記情報記録媒体に近接あるいは接触させて保持するスライダ保持具、
長尺な金属板に、長さ方向に沿って、折り目、突条、および溝のうちの少なくともいずれか１つが設けられてなるベースと、前記ベースの長さ方向に沿って該ベース上に設けられて前記ヘッドに接続された複数本の配線とを有する、前記スライダ保持具に取り付けられたリード、および
前記スライダが前記情報記録媒体の表面に沿って移動するように前記スライダ保持具を駆動する駆動機を備えたことを特徴とする情報記憶装置。
【請求項５】
前記リードが、前記ベースを複数有し、その複数のベースが互いに張り合わされてなるものであることを特徴とする請求項４記載の情報記憶装置。
【請求項６】
所定の情報記録媒体を保持する媒体保持具、
前記情報記録媒体に対し、情報記録および情報再生の少なくともいずれか１つを実行するヘッドを搭載したスライダ、
前記スライダを前記情報記録媒体に近接あるいは接触させて保持するスライダ保持具、
長尺な金属板からなる複数のベースと、前記ベースの長さ方向に沿って複数のベースそれぞれに複数本ずつ設けられた配線とを有し、前記複数のベースが互いに貼り合わされてなる、前記スライダ保持具に取り付けられたリード、および
前記スライダが前記情報記録媒体の表面に沿って移動するように前記スライダ保持具を駆動する駆動機を備えたことを特徴とする情報記憶装置。
【請求項７】
長尺な金属板に、長さ方向に沿って、折り目、突条、および溝のうちの少なくともいずれか１つが設けられてなるベースと、
前記ベースの長さ方向に沿って該ベース上に設けられた複数本の配線とを有することを特徴とするリード。
【請求項８】
前記ベースを複数有し、その複数のベースが互いに張り合わされてなることを特徴とする請求項７記載のリード。
【請求項９】
長尺な金属板からなる複数のベースと、
前記ベースの長さ方向に沿って複数のベースそれぞれに複数本ずつ設けられた配線とを有し、
前記複数のベースが互いに貼り合わされてなることを特徴とするリード。
【発明の詳細な説明】
【技術分野】  本発明は、情報記録媒体に対し情報記録あるいは情報再生を行うヘッドを保持するヘッドサスペンション、情報記録媒体に対し情報記録あるいは情報再生を行う情報記憶装置、およびヘッドサスペンションや情報記憶装置などに用いられるリードに関する。
【背景技術】  従来より、パーソナルコンピュータやワードプロセッサ等といった電子機器に内蔵、あるいは接続される情報記憶装置として、磁気ディスク（ハードディスク）に磁気で情報を記憶させるハードディスクドライブや、光磁気（ＭＯ）ディスクに光および磁気で情報を記憶させるＭＯディスク装置などが知られている。
ハードディスクドライブには一般に、情報記録媒体としての磁気ディスクと、磁気ディスクに対し記録ビットを読み書きするヘッドが備えられており、そのヘッドを搭載したスライダと、スライダを磁気ディスクに近接させて保持するサスペンションやアームと、サスペンションやアームを駆動することによってヘッドを磁気ディスクに沿って移動させるアクチュエータも備えられている。
このハードディスクドライブの記録密度は、パーソナルコンピュータ等が発達するにつれて高密度化しており、特に近年、画像や音楽をパーソナルコンピュータ等で取り扱う需要が高まるにつれて飛躍的に高密度化している。そして、ハードディスクドライブの高記録密度化に伴い、磁気ディスク上の記録ビットが微細化し、ディスク回転速度が増加しており、その結果、ヘッドの位置決めの高精度化や高速化の要望が高まっている。また、製造容易性の向上や小型化の要望も強い。
このような要望に対し、ハードディスクドライブのアームやサスペンションの細部に工夫を加えてヘッドの位置決めの高精度化や高速化を図る技術が提案されている。例えば、スライダを保持する板バネ状のサスペンションの縁を折り曲げて、外力を受けたときの振動を軽減する技術が特許文献１および特許文献２に示されている。また、スライダ上に搭載されたヘッドに接続される引込線（リード）として、導線の１本１本が互いに分離したワイヤリードに替えて、金属板上に複数本の配線が敷設されたリードを採用する技術が特許文献３に示されている。また、リードをアームと一体化する提案も特許文献３に示されている。
【特許文献１】        特開昭６２−２７９５７０号公報
【特許文献２】        実開平１−１７７４７３号公報
【特許文献３】        特開平１０−１１６４０９号公報
ところで、金属板上に複数本の配線が敷設されたリードをアームに取り付ける場合には、アームの側面に設けられた庇状の突起に固定する方法や、アームの上下面に這わせて固定する方法や、リードを途中で折り曲げてアームの側面に這わせて固定する方法などが考えられる。
しかし、リードを庇状の突起に固定する方法の場合には、アームの側面全域に渡って突起を形成することはアクチュエータのイナーシャを増加させることになり装置の性能低下の観点から得策ではないので、アーム側面の一部分に突起を設けることとなるが、長く延びたリードのうち、突起に固定されていない部分は、磁気ディスクの回転などで生じる風や、アームの移動（シーク）に伴う加速度や衝撃等といった外乱により振動し、ヘッドの位置決め精度に悪影響を与えることとなる。
また、リードをアーム上下面に這わせて固定する方法の場合には、アームと磁気ディスクとの隙間が少なくともテールの厚み分狭くなり、衝撃時にアームのたわみ等が生じたときにアームと磁気ディスクが接触する可能性が増加し、装置信頼性の低下をもたらす。装置信頼性の低下を避けるためにはアームと磁気ディスクとの隙間を広げることが必要となり装置の小型化に反する。
また、リードを途中で折り曲げてアームの側面に這わせて固定する方法の場合には、十分な折り曲げ精度を得ることが難しく、折り曲げ誤差により、アームの根本側でのリード端の位置がずれ、アームの根本側に設けられているＦＰＣ（Ｆｌｅｘｉｂｌｅ  Ｐｒｉｎｔｅｄ  Ｃｉｒｃｕｉｔ）との接続に支障を来す。
他方、リードをアームと一体化する場合には、製造性が悪いという問題点がある。
【発明の開示】
本発明は、上記事情に鑑み、ヘッドを高精度に位置決めすることができるヘッドサスペンション、記録密度が高い情報記憶装置、およびそのようなヘッドサスペンションや情報記憶装置の実現に寄与するリードを提供することを目的とする。
上記目的を達成する本発明の第１のヘッドサスペンションは、情報記録媒体に対し、情報記録および情報再生の少なくともいずれか１つを実行するヘッドを搭載したスライダを保持するスライダ保持具、および
長尺な金属板に、長さ方向に沿って、折り目、突条、および溝のうちの少なくともいずれか１つが設けられてなるベースと、前記ベースの長さ方向に沿って該ベース上に設けられて前記ヘッドに接続された複数本の配線とを有する、前記スライダ保持具に取り付けられたリードを備えたことを特徴とする。
本発明の第１のヘッドサスペンションによると、ベースの折り目、突条、あるいは溝によってリードの剛性向上が図られているため外乱によるリードの振動が小さい。このため本発明の第１のヘッドサスペンションは、ヘッドの位置決め精度が高い。
ここで、本発明の第１のヘッドサスペンションは、上記リードが、上記ベースを複数有し、その複数のベースが互いに張り合わされてなるものであることが好適である。貼り合わせ構造によってリードの剛性が更に向上し、ヘッドの位置決め精度も向上する。
上記目的を達成する本発明の第２のヘッドサスペンションは、情報記録媒体に対し、情報記録および情報再生の少なくともいずれか１つを実行するヘッドを搭載したスライダを保持するスライダ保持具、および
長尺な金属板からなる複数のベースと、ベースの長さ方向に沿って複数のベースそれぞれに複数本ずつ設けられた配線とを有し、それら複数のベースが互いに貼り合わされてなる、スライダ保持具に取り付けられたリードを備えたことを特徴とする。
ベースに折り目などがなくて貼り合わせ構造のみの簡易な構造であっても、剛性向上およびヘッドの位置決め精度の向上を図ることができる。また、本発明の第２のヘッドサスペンションは、ベースに折り目などがないため製造は非常に容易である。
上記目的を達成する本発明の第１の情報記憶装置は、所定の情報記録媒体を保持する媒体保持具、
情報記録媒体に対し、情報記録および情報再生の少なくともいずれか１つを実行するヘッドを搭載したスライダ、
スライダを情報記録媒体に近接あるいは接触させて保持するスライダ保持具、
長尺な金属板に、長さ方向に沿って、折り目、突条、および溝のうちの少なくともいずれか１つが設けられてなるベースと、ベースの長さ方向に沿ってベース上に設けられてヘッドに接続された複数本の配線とを有する、スライダ保持具に取り付けられたリード、および
スライダが情報記録媒体の表面に沿って移動するようにスライダ保持具を駆動する駆動機を備えたことを特徴とする。
本発明の第１の情報記憶装置によると、リードの剛性向上が図られているため外乱によるリードの振動が小さく、ヘッドの位置決め精度が高い。このため本発明の情報記憶装置は情報記録や情報再生に伴う動作の信頼性が高く、情報の記憶密度も高い。
ここで、本発明の第１の情報記憶装置は、上記リードが、上記ベースを複数有し、その複数のベースが互いに張り合わされてなるものであることが好適である。貼り合わせ構造によってリードの剛性が更に向上し、ヘッドの位置決め精度および動作信頼性も向上するので、情報の記憶密度が更に向上する。
また、上記目的を達成する本発明の第２の情報記憶装置は、所定の情報記録媒体を保持する媒体保持具、
情報記録媒体に対し、情報記録および情報再生の少なくともいずれか１つを実行するヘッドを搭載したスライダ、
スライダを情報記録媒体に近接あるいは接触させて保持するスライダ保持具、
長尺な金属板からなる複数のベースと、ベースの長さ方向に沿って複数のベースそれぞれに複数本ずつ設けられた配線とを有し、複数のベースが互いに貼り合わされてなる、スライダ保持具に取り付けられたリード、および
スライダが情報記録媒体の表面に沿って移動するようにスライダ保持具を駆動する駆動機を備えたことを特徴とする。
ベースに折り目などがなくて貼り合わせ構造のみの簡易な構造であっても、剛性向上およびヘッドの位置決め精度の向上を図ることができ、情報の記憶密度も向上する。
上記目的を達成する本発明の第１のリードは、長尺な金属板に、長さ方向に沿って、折り目、突条、および溝のうちの少なくともいずれか１つが設けられてなるベースと、
ベースの長さ方向に沿って該ベース上に設けられた複数本の配線とを有することを特徴とする。
本発明の第１のリードによれば、折り目、突条、あるいは溝といった、製造が容易な簡易構造で十分な剛性向上を図ることができる。本発明の第１のリードをヘッドサスペンションや情報記憶装置に用いると、リードの振動が小さく、ヘッドの位置決め精度の向上および装置の動作信頼性の向上に寄与する。
ここで、本発明の第１のリードは、上記ベースを複数有し、その複数のベースが互いに張り合わされてなることが好適である。貼り合わせ構造によってリードの剛性は更に向上する。
上記目的を達成する本発明の第２のリードは、長尺な金属板からなる複数のベースと、
ベースの長さ方向に沿って複数のベースそれぞれに複数本ずつ設けられた配線とを有し、
複数のベースが互いに貼り合わされてなることを特徴とする。
ベースに折り目などがなくて貼り合わせ構造のみの簡易な構造であっても剛性向上を図ることができる。
以上説明したように、本発明のヘッドサスペンションはヘッドを高精度に位置決めすることができ、本発明の情報記憶装置は記録密度が高く、本発明のリードはそのようなヘッドサスペンションや情報記憶装置の実現に寄与する。
【図面の簡単な説明】  図１は、本発明のヘッドサスペンションおよびリードそれぞれの実施形態が組み込まれた、本発明の情報記録装置の一実施形態を示す図である。
図２は、キャリッジアームの先端付近の拡大図である。
図３は、リード（テール）の一部分を示す拡大斜視図である。
図４は、リードの取り付け方法を示す図である。
図５は、第２の実施形態を示す要部拡大図である。
図６は、第３の実施形態を示す要部拡大図である。
図７は、第４の実施形態を示す要部拡大図である。
図８は、第５の実施形態を示す要部拡大図である。
図９は、第６の実施形態を示す要部拡大図である。
図１０は、製造手順の第１段階を示す図である。
図１１は、製造手順の第２段階を示す図である。
図１２は、製造手順の第３段階を示す図である。
【発明を実施するための最良の形態】  以下、本発明の実施形態について説明する。
図１は、本発明のヘッドサスペンションおよびリードそれぞれの実施形態が組み込まれた、本発明の情報記録装置の一実施形態を示す図である。
この図１に示すハードディスクドライブ（ＨＤＤ）１００は、本発明の情報記録装置の一実施形態に相当するものであり、このハードディスクドライブ１００のハウジング１０１には、回転軸１０２に装着されて回転する磁気ディスク１０３と、磁気ディスク１０３に対して情報記録と情報再生を行う磁気ヘッドが搭載されたスライダ１０４と、スライダ１０４を保持する板バネ状のサスペンション１０８と、サスペンション１０８が固着されてアーム軸１０５を中心に磁気ディスク１０３表面に沿って移動するキャリッジアーム１０６と、キャリッジアーム１０６を駆動するアームアクチュエータ１０７が収容されている。ここで、磁気ディスク１０３は、本発明にいう情報記録媒体の一例に相当し、回転軸１０２は、本発明にいう媒体保持具の一例に相当し、サスペンション１０８は本発明にいうスライダ保持具の一例に相当し、アームアクチュエータ１０７は、本発明にいう駆動機の一例に相当している。
また、スライダ１０４やキャリッジアーム１０６等には、後述する本発明のリードの実施形態が取り付けられており、このリードとサスペンション１０８とで、本発明のヘッドサスペンションの一実施形態が構成されている。
磁気ディスクへの情報の記録および磁気ディスク１０３に記憶された情報の再生にあたっては、磁気回路で構成されたアームアクチュエータ１０７によってキャリッジアーム１０６が駆動されて、磁気ヘッドが、回転する磁気ディスク１０３上の所望のトラックに位置決めされる。スライダ１０４に搭載された磁気ヘッドは、磁気ディスク１０３の回転に伴って、磁気ディスク１０３の各トラックに並ぶ各微小領域に順次近接する。情報の記録時には、このように磁気ディスク１０３に近接した磁気ヘッドにリードを介して電気的な記録信号が入力され、磁気ヘッドにより、その記録信号に応じてそれらの各微小領域に磁界が印加されて、その記録信号に担持された情報が各微小領域の磁化方向として記録される。また、情報の再生時には、磁気ヘッドによって、各微小領域の磁化方向として記録された情報が、それらの磁化それぞれが発生する磁界に応じた電気的な再生信号として取り出され、リードを介して出力される。ハウジング１０１の内部空間は、図示しないカバーによって閉鎖される。
後述する各実施形態はいずれも、キャリッジアーム１０６の先端付近の構造を除いて、図１に示す構造と同様の構造を有する。以下では、キャリッジアーム１０６の先端付近の構造だけに着目して各実施形態の説明を行う。
図２は、キャリッジアーム１０６の先端付近の拡大図である。
キャリッジアーム１０６の先端には、上述したスライダ１０４を保持したサスペンション１０８が固着されており、リード１１０がスライダ１０４に搭載された磁気ヘッドに接続されている。このリード１１０は、サスペンション１０８の上面側と下面側とに１本ずつ備えられており、各リード１１０は、キャリッジアーム１０６の側面に設けられた庇１０９に取り付けられている。このような庇１０９が仮にキャリッジアーム１０６の全域に設けられるとイナーシャが大きくなってハードディスクドライブのアクセス特性が低下するため、庇１０９はキャリッジアーム１０６の一部分にだけ設けられている。また、後述するように、このリード１１０には、記録信号や再生信号を伝達する信号線が延設されており、このリード１１０の、キャリッジアーム１０６に沿って延びる部分を特にテールと称することがある。
図３は、リード１１０（テール）の一部分を示す拡大斜視図である。
リード１１０は、薄い金属製のベース１１１と、そのベース上に延設された信号線１１２とで構成されている。ベース１１１の中央には突条１１１ａが設けられており、信号線１１２は銅線が絶縁物質で被覆されたものである。ベース１１１の中央に突条１１１ａが設けられているためリード１１０は剛性が高い。
このようなリード１１０は、上述したように、キャリッジアームの庇に取り付けられる。
図４は、リード１１０の取り付け方法を示す図である。
この実施形態では、庇１０９がキャリッジアーム１０６の側面に上下２段に設けられており、２本のリード１１０の各テール部分が、接着等といった手法によって上下の庇１０９にそれぞれ独立に固定されている。
各リード１１０のベースは金属の薄板であるため、庇１０９に固定されていないテール部分は、磁気ディスクの回転やキャリッジアーム１０６の移動などに伴う風などといった外乱の影響を受けるが、リード１１０は突条によって剛性が向上しているので、本実施形態では外乱による振動は小さい。このため、外乱が磁気ヘッドの位置決め精度に及ぼす悪影響も小さくて位置決め精度が高く、ハードディスクドライブの記録密度は高い。
以下、上述した実施形態とは異なる別の各実施形態について説明する。
図５は、第２の実施形態を示す要部拡大図である。
この図５に示す第２の実施形態におけるリード１２０は、図３に示すベース１１１と同等な構造のベース１２１を有しているとともに、図３に示す信号線１１２と同等な信号線１２２も有している。ただし、この第２の実施形態のリード１２０では、２つのベース１２１が接着剤の層１２３によって張り合わされており、張り合わされて一体化したリード１２０が庇１０９に取り付けられている。
この図５に示すリード１２０は、張り合わせ構造によって、図３に示すリード１１０よりも剛性が更に向上しており、外乱の影響が更に低減されている。なお、ここでは接着剤の層１２３によって２つのベース１２１が張り合わされているが、本発明において複数のベースを張り合わせる方法としては、テープで張り合わせる方法や溶接等を利用してもよい。
図６は、第３の実施形態を示す要部拡大図である。
この第３の実施形態におけるリード１３０には、図３に示すベース１１１と同等な、中央に突条１３１ａが設けられたベース１３１と、中央に溝１３２ａが設けられたベース１３２が備えられており、これらのベース１３１，１３２上には信号線１３４が延設されている。また、２つのベース１３１，１３２は、突条１３１ａと溝１３２ａが互いに嵌め合った状態で接着剤の層１３３によって張り合わされている。そして、張り合わされて一体化したリード１３０が庇１０９に取り付けられている。
このように、２つのベース１３１，１３２の突条１３１ａと溝１３２ａが互いに嵌め合った状態で張り合わされた構造のため、リード１３０の剛性は非常に高く、外乱の影響は非常に低い。
図７は、第４の実施形態を示す要部拡大図である。
この第４の実施形態におけるリード１４０に用いられたベース１４１は、測端１４１ａが曲げ起こされており、このベース１４１上に信号線１４２が延設されている。測端１４１ａが曲げ起こされていることによってベース１４１には、長さ方向に沿った折り目が生じている。そして、この折り目によってリード１４０の剛性は図３に示すリード１３０と同様に向上されており、この第４の実施形態でも、外乱による振動が抑えられている。
図８は、第５の実施形態を示す要部拡大図である。
この第５の実施形態では、平板状の２枚のベース１５１それぞれに信号線１５２が延設され、それら２枚のベース１５１が接着剤の層１５３で張り合わされてリード１５０が構成されている。ここでも、一体化されたリード１５０が庇１０９に取り付けられている。
この第５の実施形態では、ベース１５１に突条や折り目などが存在しないが、２枚のベース１５１が張り合わされた構造によってリード１５０の剛性は向上されており、ヘッドの位置決め精度に悪影響を及ぼす外乱による振動が抑えられている。
図９は、第６の実施形態を示す要部拡大図である。
この第６の実施形態では、リード１６０に、中央に突条１６１ａが設けられて端部１６１ｂが曲げ起こされたベース１６１と、中央に溝１６２ａが設けられて端部１６２ｂが曲げ起こされたベース１６２が備えられており、それらのベース１６１，１６２それぞれに信号線１６３が延設されている。また、２つのベース１６１，１６２は、曲げ起こされた端部１６１ｂ，１６２ｂが互いに嵌り合うように組みあわされた状態で上下一対の庇１０９の間に取り付けられていることによって、リード１６０はボックス構造となっている。このボックス構造のため、リード１６０の剛性は非常に高く、外乱の影響は非常に低い。
なお、ここでは、２つのベース１６１，１６２は単に組みあわされて庇１０９に取り付けられているが、曲げ起こされた端部１６１ｂ，１６２ｂ同士が接着剤、テープ、溶接等等といった手段で強固に固定されるとリード１６０の剛性が更に向上するのは当然である。
最後に、上述したような、キャリッジアームの先端付近の要部の製造手順について説明する。
図１０は、製造手順の第１段階を示す図である。
この図１０には、図２に示すサスペンション１０８を構成する３角形状のロードビーム部分を製造する手順が示されており、先ず、図１０のＡパートの正面図および図１０のＢパートの側面図に示すように、金属板２１０に打ち抜き加工が施されて、複数個（ここでは６個）のロードビーム２１１が枠付で作成される。各ロードビーム２１１には張出２１１ａが設けられている。
次に、図１０のＣパートの正面図および図１０のＤパートの側面図に示すように、枠付のまま金属板２１０に折り曲げ加工が施されて張出２１１ａが曲げ起こされる。
図１１は、製造手順の第２段階を示す図である。
この図１１には、リード部分を製造する手順が示されている。但し、リード部分の形状は簡略化されて示されている。
先ず、金属板２２０上の、リード２２１に相当する位置に、いわゆる薄膜技術が応用されて信号線がプリントされ、次に、図１１のＡパートに示すように、金属板２２０に打ち抜き加工が施されて、枠付の複数のリード２２１が作成される。
その後、図１１のＢパートに示すように、金属板２２０に打ち出し加工が施されて、リード２２１の中央に突条２２１ａが設けられる。なお、リード２２１に、上述したような溝や折り目が設けられる場合には、この段階で同様に設けられる。リードは細かい部品であるため、このように枠付の状態で一度に打ち出し加工等が施されることにより、上述したような、突条、溝、折り目を容易かつ精度よく設けることができる。
なお、複数のベースからなるリードを製造する場合には、図１１のＢパートに示すように加工された金属板２２０を枠付の状態で複数枚張り合わせる。これにより、容易かつ正確に貼り合わせ構造を得ることができる。以下では、リードは１枚のベースを有するものとして説明を続ける。
図１２は、製造手順の第３段階を示す図である。
この図１２のＡパートには、図１０のＣパートにも示す加工済の金属板２１０が示されており、この図１２のＢパートには、図１１のＢパートにも示す加工済の金属板２２０が示されている。
また、この図１２のＣパートには、図２に示すサスペンション１０８を構成する、キャリッジアーム１０６に取り付けられるベースプレート２３１が、打ち抜き加工により複数個（ここでは６個）枠付で作成された金属板２３０が示されている。
そして、図１２のＤパートには、これらの金属板２１０，２２０，２３０が重ね合わされて、個々のロードビーム、リード、およびベースプレートが溶接によって互いに固定されて一体化された状態が示されている。但し、リードが作成されている金属板２２０は、裏側と表側に２枚固定されている。このように、ロードビーム、リード、およびベースプレートが一体化された後で枠が切り離されることにより、テール付のサスペンションが得られる。
このような製造手順により、上述した各実施形態における、キャリッジアームの先端付近の要部が容易かつ精度よく製造される。なお、テール付のサスペンションを除く他の部分の製造方法や、テール付のサスペンションの取付方法については、従来周知の製造方法などを用いることができるので、説明は省略する。
【図１】
2004072974.tif 000003
【図２】
2004072974.tif 000004
【図３】
2004072974.tif 000005
【図４】
2004072974.tif 000006
【図５】
2004072974.tif 000007
【図６】
2004072974.tif 000008
【図７】
2004072974.tif 000009
【図８】
2004072974.tif 000010
【図９】
2004072974.tif 000011
【図１０】
2004072974.tif 000012
【図１１】
2004072974.tif 000013
【図１２】
2004072974.tif 000014
【手続補正書】
【提出日】平成17年2月22日(2005.2.22)
【手続補正２】
【補正対象書類名】明細書
【補正対象項目名】特許請求の範囲
【補正方法】変更
【補正の内容】
【特許請求の範囲】
【請求項１】  情報記録媒体に対し、情報記録および情報再生の少なくともいずれか１つを実行するヘッドを搭載したスライダを保持するスライダ保持具、および
長尺な金属板に、長さ方向に沿って、折り目、突条、および溝のうちの少なくともいずれか１つが設けられてなるベースと、前記ベースの長さ方向に沿って該ベース上に設けられて前記ヘッドに接続された複数本の配線とを有する、前記スライダ保持具に取り付けられたリードを備えたことを特徴とするヘッドサスペンション。
【請求項２】  前記リードが、前記ベースを複数有し、その複数のベースが互いに張り合わされてなるものであることを特徴とする請求項１記載のヘッドサスペンション。
【請求項３】  情報記録媒体に対し、情報記録および情報再生の少なくともいずれか１つを実行するヘッドを搭載したスライダを保持するスライダ保持具、および
長尺な金属板からなる複数のベースと、前記ベースの長さ方向に沿って複数のベースそれぞれに複数本ずつ設けられた配線とを有し、前記複数のベースが互いに貼り合わされてなる、前記スライダ保持具に取り付けられたリードを備えたことを特徴とするヘッドサスペンション。
【請求項４】  所定の情報記録媒体を保持する媒体保持具、
前記情報記録媒体に対し、情報記録および情報再生の少なくともいずれか１つを実行するヘッドを搭載したスライダ、
前記スライダを前記情報記録媒体に近接あるいは接触させて保持するスライダ保持具、
長尺な金属板に、長さ方向に沿って、折り目、突条、および溝のうちの少なくともいずれか１つが設けられてなるベースと、前記ベースの長さ方向に沿って該べ一ス上に設けられて前記ヘッドに接続された複数本の配線とを有する、前記スライダ保持具に取り付けられたリード、および
前記スライダが前記情報記録媒体の表面に沿って移動するように前記スライダ保持具を駆動する駆動機を備えたことを特徴とする情報記憶装置。
【請求項５】  前記リードが、前記ベースを複数有し、その複数のベースが互いに張り合わされてなるものであることを特徴とする請求項４記載の情報記憶装置。
【請求項６】  所定の情報記録媒体を保持する媒体保持具、
前記情報記録媒体に対し、情報記録および情報再生の少なくともいずれか１つを実行するヘッドを搭載したスライダ、
前記スライダを前記情報記録媒体に近接あるいは接触させて保持するスライダ保持具、
長尺な金属板からなる複数のべ一スと、前記べ一スの長さ方向に沿って複数のベースそれぞれに複数本ずつ設けられた配線とを有し、前記複数のベースが互いに貼り合わされてなる、前記スライダ保持具に取り付けられたリード、および
前記スライダが前記情報記録媒体の表面に沿って移動するように前記スライダ保持具を駆動する駆動機を備えたことを特徴とする情報記憶装置。
【国際調査報告】
2004072974.tif 000015
2004072974.tif 000016